(57)【要約】  コンテンツ共有システム（１００）は、サーバ（１３０）と、第１の情報通信装置（１１０）と、第２の情報通信装置（１２０）とを含み、第１の情報通信装置（１１０）は、第２の情報通信装置（１２０）又は第２の情報通信装置（１２０）のユーザを特定するための第１の識別情報（１１７）を含み、新規共有スペースの確保を依頼するための確保依頼メッセージをサーバ（１３０）に送信する確保依頼部（１１１）を備え、サーバ（１３０）は、第１の記憶部（１３３）と、確保依頼メッセージを受信した場合、共有スペース（１４０）を第１の記憶部（１３３）に生成するとともに、確保依頼メッセージに含まれる第１の識別情報（１１７）を第１の記憶部（１３３）に格納する共有スペース生成部（１３１）を備える。
2014091728.tif 000002
【特許請求の範囲】
【請求項１】
サーバと、第１の情報通信装置と、第２の情報通信装置とを含み、前記サーバ上の記憶領域である共有スペースを用いて、前記第１の情報通信装置の第１のユーザ及び前記第２の情報通信装置の第２のユーザがコンテンツを共有するためのコンテンツ共有システムであって、
前記第１の情報通信装置は、
前記第２の情報通信装置又は前記第２のユーザを特定するための第１の識別情報を含み、新規共有スペースの確保を依頼するための確保依頼メッセージを前記サーバに送信する確保依頼部を備え、
前記サーバは、
第１の記憶部と、
前記確保依頼メッセージを受信した場合、前記共有スペースを前記第１の記憶部に生成するとともに、前記確保依頼メッセージに含まれる前記第１の識別情報を前記第１の記憶部に格納する共有スペース生成部を備え、
前記第２の情報通信装置は、
前記第２の情報通信装置又は前記第２のユーザを特定するための第２の識別情報を含む接続依頼メッセージを前記サーバに送信する接続依頼部を備え、
前記サーバ装置は、さらに、
前記接続依頼メッセージに含まれる前記第２の識別情報と、前記第１の記憶部に格納されている前記第１の識別情報とが一致する場合、前記第２の情報通信装置に、前記共有スペースへのアクセスを許可し、前記第２の識別情報と前記第１の識別情報とが一致しない場合、前記第２の情報通信装置に、前記共有スペースへのアクセスを許可しない接続制御部を備える
コンテンツ共有システム。
【請求項２】
前記第２の情報通信装置は、さらに、自身へのアクセスが制限されており、前記第２の識別情報を記憶する第２の記憶部を備え、
前記接続依頼部は、前記第２の記憶部に記憶されている前記第２の識別情報を読み出し、読み出した前記第２の識別情報を含む前記接続依頼メッセージを前記サーバに送信する
請求項１記載のコンテンツ共有システム。
【請求項３】
前記第２の記憶部は、ＳＩＭ（Ｓｕｂｓｃｒｉｂｅｒ  Ｉｄｅｎｔｉｆｙ  Ｍｏｄｕｌｅ）カードである
請求項２記載のコンテンツ共有システム。
【請求項４】
前記確保依頼メッセージは、さらに、第１の認証情報を含み、
前記共有スペース生成部は、さらに、前記確保依頼メッセージに含まれる前記第１の認証情報を前記第１の記憶部に格納し、
前記接続依頼メッセージは、さらに、第２の認証情報を含み、
前記接続制御部は、
前記第２の識別情報と前記第１の識別情報とが一致し、かつ、前記接続依頼メッセージに含まれる前記第２の認証情報と、前記第１の記憶部に格納されている前記第１の認証情報とが一致する場合、前記第２の情報通信装置に、前記共有スペースへのアクセスを許可し、
前記第２の認証情報と第１の認証情報とが一致しない場合、前記第２の情報通信装置に、前記共有スペースへのアクセスを許可しない
請求項１〜３のいずれか１項に記載のコンテンツ共有システム。
【請求項５】
前記第１の認証情報及び前記第２の認証情報は予め決められたキーワードである
請求項４記載のコンテンツ共有システム。
【請求項６】
前記第１の認証情報は、前記第１の情報通信装置で撮影された第１画像であり、
前記第２の認証情報は、前記第２の情報通信装置で撮影された第２画像であり、
前記接続制御部は、前記第１画像と前記第２画像とに同一のオブジェクトが含まれる場合に、前記第１の認証情報と前記第２の認証情報とが一致すると判定する
請求項４記載のコンテンツ共有システム。
【請求項７】
前記第１の認証情報及び前記第２の認証情報は、前記第１の情報通信装置又は前記第１のユーザを特定するための情報である
請求項４記載のコンテンツ共有システム。
【請求項８】
前記第１の情報通信装置は、さらに、１以上の電話番号を示す電話帳を記憶する第３の記憶部を備え、
前記第１の識別情報は、前記電話帳に含まれる情報である
請求項１〜７のいずれか１項に記載のコンテンツ共有システム。
【請求項９】
第１の識別情報は、電話番号、電子メールアドレス、ＳＭＳ（Ｓｈｏｒｔ  Ｍｅｓｓａｇｅ  Ｓｅｒｖｉｃｅ）のアドレス、又は、第２のユーザのＳＮＳ（Ｓｏｃｉａｌ  Ｎｅｔｗｏｒｋｉｎｇ  Ｓｅｒｖｉｃｅ）のアカウント情報である
請求項８記載のコンテンツ共有システム。
【請求項１０】
前記共有スペース生成部は、複数の共有スペースを前記第１の記憶部に生成するとともに、各共有スペースに対応する前記第１の識別情報を前記第１の記憶部に格納し、
前記接続依頼メッセージは、接続先共有スペースを指定する共有スペース指定情報を含み、
前記接続制御部は、前記接続依頼メッセージに含まれる前記第２の識別情報と、前記複数の共有スペースのうち前記接続先共有スペースに対応する前記第１の識別情報とが一致する場合、前記第２の情報通信装置に、前記接続先共有スペースへのアクセスを許可し、前記第２の識別情報と前記第１の識別情報とが一致しない場合、前記第２の情報通信装置に、前記接続先共有スペースへのアクセスを許可しない
請求項１〜９のいずれか１項に記載のコンテンツ共有システム。
【請求項１１】
前記第２の情報通信装置は、さらに、
前記第１の情報通信装置からの依頼により生成された複数の共有スペースを示す共有スペースリストを表示する表示部と、
前記共有スペースリストから前記第２のユーザが選択した共有スペースを示す情報を取得する入力受付部とを備え、
前記接続先共有スペースは、取得された前記情報で示される共有スペースである
請求項１０記載のコンテンツ共有システム。
【請求項１２】
サーバと、第１の情報通信装置と、第２の情報通信装置とを含み、前記サーバ上の記憶領域である共有スペースを用いて、前記第１の情報通信装置の第１のユーザ及び前記第２の情報通信装置の第２のユーザがコンテンツを共有するコンテンツ共有方法であって、
前記第１の情報通信装置が、前記第２の情報通信装置又は前記第２のユーザを特定するための第１の識別情報を含み、新規共有スペースの確保を依頼するための確保依頼メッセージを前記サーバに送信する確保依頼ステップと、
前記サーバが、前記確保依頼メッセージを受信した場合、前記共有スペースを前記サーバが備える第１の記憶部に生成するとともに、前記確保依頼メッセージに含まれる前記第１の識別情報を前記第１の記憶部に格納する共有スペース生成ステップと、
前記第２の情報通信装置が、前記第２の情報通信装置又は前記第２のユーザを特定するための第２の識別情報を含む接続依頼メッセージを前記サーバに送信する接続依頼ステップと、
前記サーバ装置が、前記接続依頼メッセージに含まれる前記第２の識別情報と、前記第１の記憶部に格納されている前記第１の識別情報とが一致する場合、前記第２の情報通信装置に、前記共有スペースへのアクセスを許可し、前記第２の識別情報と前記第１の識別情報とが一致しない場合、前記第２の情報通信装置に、前記共有スペースへのアクセスを許可しない接続制御ステップとを含む
コンテンツ共有方法。
【請求項１３】
サーバと、第１の情報通信装置と、第２の情報通信装置とを含み、前記サーバ上の記憶領域である共有スペースを用いて、前記第１の情報通信装置の第１のユーザ及び前記第２の情報通信装置の第２のユーザがコンテンツを共有するためのコンテンツ共有システムにおいて前記第１の情報通信装置として用いられる情報通信装置であって、
前記第２の情報通信装置又は前記第２のユーザを特定するための第１の識別情報を含み、新規共有スペースの確保を依頼するための確保依頼メッセージを前記サーバに送信する確保依頼部を備える
情報通信装置。
【発明の詳細な説明】
【技術分野】
【０００１】
本発明は、コンテンツ共有システム、コンテンツ共有方法及び情報通信装置に関する。
【背景技術】
【０００２】
近年、デジタルカメラ、及びスマートフォンなどの携帯端末の普及と、ｍｉｘｉ（登録商標）、Ｆａｃｅｂｏｏｋ（登録商標）、及びＦｌｉｃｋｒ（商標登録）などのＳＮＳ（Ｓｏｃｉａｌ  Ｎｅｔｗｏｒｋｉｎｇ  Ｓｅｒｖｉｃｅ）、並びにその他のコンテンツ共有サービスとの発展により、ユーザが気軽に写真及び動画等のコンテンツを撮影し、それらを共有して楽しむ機会が増えている。【０００３】
従来、コンテンツを共有するシステムとして、予めサーバ又はサービスにユーザ情報を登録しているユーザ間（端末間）においてコンテンツを共有するシステムがあった（例えば、特許文献１参照）。【０００４】
また、予め必要なユーザ情報を交換しておいたユーザ間においてコンテンツを共有するシステムがあった（例えば、特許文献２参照）。
【先行技術文献】
【特許文献】
【０００５】
【特許文献１】特開２００８−１９７７４６号公報
【特許文献２】特開２０１２−０３８１９３号公報
【発明の概要】
【発明が解決しようとする課題】
【０００６】
しかしながら、このようなコンテンツ共有システムでは、より簡略化した操作でコンテンツを共有できることが望まれている。【０００７】
そこで本発明は、簡略化したユーザ操作でコンテンツを共有できるコンテンツ共有システム、コンテンツの共有方法及び情報通信装置を提供することを目的とする。
【課題を解決するための手段】
【０００８】
上記の課題を解決するために、本発明の一態様に係るコンテンツ共有システムは、サーバと、第１の情報通信装置と、第２の情報通信装置とを含み、前記サーバ上の記憶領域である共有スペースを用いて、前記第１の情報通信装置の第１のユーザ及び前記第２の情報通信装置の第２のユーザがコンテンツを共有するためのコンテンツ共有システムであって、前記第１の情報通信装置は、前記第２の情報通信装置又は前記第２のユーザを特定するための第１の識別情報を含み、新規共有スペースの確保を依頼するための確保依頼メッセージを前記サーバに送信する確保依頼部を備え、前記サーバは、第１の記憶部と、前記確保依頼メッセージを受信した場合、前記共有スペースを前記第１の記憶部に生成するとともに、前記確保依頼メッセージに含まれる前記第１の識別情報を前記第１の記憶部に格納する共有スペース生成部を備え、前記第２の情報通信装置は、前記第２の情報通信装置又は前記第２のユーザを特定するための第２の識別情報を含む接続依頼メッセージを前記サーバに送信する接続依頼部を備え、前記サーバ装置は、さらに、前記接続依頼メッセージに含まれる前記第２の識別情報と、前記第１の記憶部に格納されている前記第１の識別情報とが一致する場合、前記第２の情報通信装置に、前記共有スペースへのアクセスを許可し、前記第２の識別情報と前記第１の識別情報とが一致しない場合、前記第２の情報通信装置に、前記共有スペースへのアクセスを許可しない接続制御部を備える。【０００９】
なお、これらの全般的又は具体的な態様は、システム、方法、集積回路、コンピュータプログラム又はコンピュータ読み取り可能なＣＤ−ＲＯＭなどの記録媒体で実現されてもよく、システム、方法、集積回路、コンピュータプログラム及び記録媒体の任意な組み合わせで実現されてもよい。
【発明の効果】
【００１０】
本発明は、簡略化したユーザ操作でコンテンツを共有できるコンテンツ共有システム、コンテンツの共有方法及び情報通信装置を提供できる。
【図面の簡単な説明】
【００１１】
【図１】図１は、実施の形態におけるコンテンツ共有システムの概要を示す図である。
【図２】図２は、実施の形態におけるコンテンツ共有システムの動作の概要を示す図である。
【図３】図３は、実施の形態におけるコンテンツ共有システムの構成の一例を示す図である。
【図４】図４は、実施の形態における情報通信装置に格納されている連絡先情報の一例を示す図である。
【図５】図５は、実施の形態における確保依頼メッセージの一例を示す図である。
【図６】図６は、実施の形態における情報通信装置の構成の一例を示す図である。
【図７】図７は、実施の形態における接続依頼メッセージの一例を示す図である。
【図８】図８は、実施の形態における共有スペース管理情報の一例を示す図である。
【図９】図９は、実施の形態におけるコンテンツ共有システムの全体動作のシーケンスを示す図である。
【図１０】図１０は、実施の形態における第１の情報通信装置による共有スペース確保依頼処理のフローチャートである。
【図１１Ａ】図１１Ａは、実施の形態における表示画面の一例を示す図である。
【図１１Ｂ】図１１Ｂは、実施の形態における表示画面の一例を示す図である。
【図１１Ｃ】図１１Ｃは、実施の形態における表示画面の一例を示す図である。
【図１２Ａ】図１２Ａは、実施の形態における表示画面の一例を示す図である。
【図１２Ｂ】図１２Ｂは、実施の形態における表示画面の一例を示す図である。
【図１３】図１３は、実施の形態におけるサーバによる共有スペース確保依頼処理のフローチャートである。
【図１４】図１４は、実施の形態における第２の情報通信装置による共有スペース接続依頼処理のフローチャートである。
【図１５】図１５は、実施の形態におけるサーバによる共有スペース接続依頼処理のフローチャートである。
【図１６】図１６は、実施の形態におけるコンテンツ共有システムの動作のシーケンスを示す図である。
【図１７】図１７は、実施の形態における表示画面の一例を示す図である。
【発明を実施するための形態】
【００１２】
（本発明の基礎となった知見）
本発明者は、「背景技術」の欄において記載した、コンテンツ共有システムに関し、以下の問題が生じることを見出した。
【００１３】
例えば、記念撮影で撮影した写真を、撮影に参加したメンバー全員ですぐにその場で共有したいような場合、又は、食事会等において、撮影した写真を、すぐにその場で共有したい場合等、その場に居合わせたメンバーで、すぐにコンテンツ共有したい場合がある。
【００１４】
しかしながら、従来のコンテンツ共有システムでは、このような場合であっても、コンテンツの共有をするために、コンテンツを共有したいメンバーが、煩雑なユーザ情報の登録等を行う必要があるという課題があることを本発明者は見出した。
【００１５】
例えば、ＳＮＳ等のコンテンツ共有サービスでは、コンテンツを共有するために当該サービスへの登録が必要になるため、その場に居合わせたメンバーのうちいずれかが当該サービスを使用していない場合には、当該サービスへの登録が必要になる。また、このようなサービスでは、予めコンテンツを共有するユーザを登録する必要があるので、コンテンツを共有するユーザの登録作業を行う必要がある。
【００１６】
上記課題に鑑み、以下では、その場に居合わせたメンバーのみで、簡単な操作で、コンテンツの共有を行えるコンテンツ共有システムについて説明する。
【００１７】
本発明の一態様に係るコンテンツ共有システムは、サーバと、第１の情報通信装置と、第２の情報通信装置とを含み、前記サーバ上の記憶領域である共有スペースを用いて、前記第１の情報通信装置の第１のユーザ及び前記第２の情報通信装置の第２のユーザがコンテンツを共有するためのコンテンツ共有システムであって、前記第１の情報通信装置は、前記第２の情報通信装置又は前記第２のユーザを特定するための第１の識別情報を含み、新規共有スペースの確保を依頼するための確保依頼メッセージを前記サーバに送信する確保依頼部を備え、前記サーバは、第１の記憶部と、前記確保依頼メッセージを受信した場合、前記共有スペースを前記第１の記憶部に生成するとともに、前記確保依頼メッセージに含まれる前記第１の識別情報を前記第１の記憶部に格納する共有スペース生成部を備え、前記第２の情報通信装置は、前記第２の情報通信装置又は前記第２のユーザを特定するための第２の識別情報を含む接続依頼メッセージを前記サーバに送信する接続依頼部を備え、前記サーバ装置は、さらに、前記接続依頼メッセージに含まれる前記第２の識別情報と、前記第１の記憶部に格納されている前記第１の識別情報とが一致する場合、前記第２の情報通信装置に、前記共有スペースへのアクセスを許可し、前記第２の識別情報と前記第１の識別情報とが一致しない場合、前記第２の情報通信装置に、前記共有スペースへのアクセスを許可しない接続制御部を備える。
【００１８】
この構成によれば、第１の情報通信装置が、第２の情報通信装置又は第２のユーザを特定するための情報を含む確保依頼メッセージをサーバに送信し、第２の情報通信装置が、当該第２の情報通信装置又は第２のユーザを特定するための情報を含む接続依頼メッセージをサーバに送信するという簡単な処理で、第１の情報通信装置と第２の情報通信装置とでコンテンツを共有できる。このように当該コンテンツ共有システムでは、簡単な操作で、その場に居合わせたメンバーでコンテンツを共有できる。
【００１９】
例えば、前記第２の情報通信装置は、さらに、自身へのアクセスが制限されており、前記第２の識別情報を記憶する第２の記憶部を備え、前記接続依頼部は、前記第２の記憶部に記憶されている前記第２の識別情報を読み出し、読み出した前記第２の識別情報を含む前記接続依頼メッセージを前記サーバに送信してもよい。
【００２０】
この構成によれば、第２の識別情報が改ざんされることを防止できるので、共有スペースへの不正なアクセスを防止できる。
【００２１】
例えば、前記第２の記憶部は、ＳＩＭ（Ｓｕｂｓｃｒｉｂｅｒ  Ｉｄｅｎｔｉｆｙ  Ｍｏｄｕｌｅ）カードであってもよい。
【００２２】
この構成によれば、第２の識別情報が改ざんされることを防止できるので、共有スペースへの不正なアクセスを防止できる。
【００２３】
例えば、前記確保依頼メッセージは、さらに、第１の認証情報を含み、前記共有スペース生成部は、さらに、前記確保依頼メッセージに含まれる前記第１の認証情報を前記第１の記憶部に格納し、前記接続依頼メッセージは、さらに、第２の認証情報を含み、前記接続制御部は、前記第２の識別情報と前記第１の識別情報とが一致し、かつ、前記接続依頼メッセージに含まれる前記第２の認証情報と、前記第１の記憶部に格納されている前記第１の認証情報とが一致する場合、前記第２の情報通信装置に、前記共有スペースへのアクセスを許可し、前記第２の認証情報と第１の認証情報とが一致しない場合、前記第２の情報通信装置に、前記共有スペースへのアクセスを許可しなくてもよい。
【００２４】
この構成によれば、共有スペースへの不正なアクセスを防止できる。
【００２５】
例えば、前記第１の認証情報及び前記第２の認証情報は予め決められたキーワードであってもよい。
【００２６】
この構成によれば、例えば、その場に居合わせたメンバーでキーワードを決定することで、容易に認証情報を決定できるとともに、共有スペースへの不正なアクセスを防止できる。
【００２７】
例えば、前記第１の認証情報は、前記第１の情報通信装置で撮影された第１画像であり、前記第２の認証情報は、前記第２の情報通信装置で撮影された第２画像であり、前記接続制御部は、前記第１画像と前記第２画像とに同一のオブジェクトが含まれる場合に、前記第１の認証情報と前記第２の認証情報とが一致すると判定してもよい。
【００２８】
この構成によれば、例えば、その場に居合わせたメンバーが、同一のオブジェクトを撮影することで、容易に認証情報を決定できるとともに、共有スペースへの不正なアクセスを防止できる。
【００２９】
例えば、前記第１の認証情報及び前記第２の認証情報は、前記第１の情報通信装置又は前記第１のユーザを特定するための情報であってもよい。
【００３０】
この構成によれば、共有スペースへの不正なアクセスを防止できる。
【００３１】
例えば、前記第１の情報通信装置は、さらに、１以上の電話番号を示す電話帳を記憶する第３の記憶部を備え、前記第１の識別情報は、前記電話帳に含まれる情報であってもよい。
【００３２】
この構成によれば、第１のユーザは、予め登録されている電話帳からユーザを選択するという簡単な操作で、コンテンツを共有する第２のユーザを選択できる。
【００３３】
例えば、第１の識別情報は、電話番号、電子メールアドレス、ＳＭＳ（Ｓｈｏｒｔ  Ｍｅｓｓａｇｅ  Ｓｅｒｖｉｃｅ）のアドレス、又は、第２のユーザのＳＮＳ（Ｓｏｃｉａｌ  Ｎｅｔｗｏｒｋｉｎｇ  Ｓｅｒｖｉｃｅ）のアカウント情報であってもよい。
【００３４】
この構成によれば、予め登録されている情報を用いて、コンテンツを共有する第２のユーザを指定できる。
【００３５】
例えば、前記共有スペース生成部は、複数の共有スペースを前記第１の記憶部に生成するとともに、各共有スペースに対応する前記第１の識別情報を前記第１の記憶部に格納し、前記接続依頼メッセージは、接続先共有スペースを指定する共有スペース指定情報を含み、前記接続制御部は、前記接続依頼メッセージに含まれる前記第２の識別情報と、前記複数の共有スペースのうち前記接続先共有スペースに対応する前記第１の識別情報とが一致する場合、前記第２の情報通信装置に、前記接続先共有スペースへのアクセスを許可し、前記第２の識別情報と前記第１の識別情報とが一致しない場合、前記第２の情報通信装置に、前記接続先共有スペースへのアクセスを許可しなくてもよい。
【００３６】
この構成によれば、第２の情報通信装置は、複数の共有スペースが存在する場合でも、目的の共有スペースを選択できる。
【００３７】
例えば、前記第２の情報通信装置は、さらに、前記第１の情報通信装置からの依頼により生成された複数の共有スペースを示す共有スペースリストを表示する表示部と、前記共有スペースリストから前記第２のユーザが選択した共有スペースを示す情報を取得する入力受付部とを備え、前記接続先共有スペースは、取得された前記情報で示される共有スペースであってもよい。
【００３８】
この構成によれば、第２の情報通信装置は、第１のユーザが複数の共有スペースを生成している場合、目的の共有スペースを選択できる。
【００３９】
また、本発明の一態様に係るコンテンツ共有方法は、サーバと、第１の情報通信装置と、第２の情報通信装置とを含み、前記サーバ上の記憶領域である共有スペースを用いて、前記第１の情報通信装置の第１のユーザ及び前記第２の情報通信装置の第２のユーザがコンテンツを共有するコンテンツ共有方法であって、前記第１の情報通信装置が、前記第２の情報通信装置又は前記第２のユーザを特定するための第１の識別情報を含み、新規共有スペースの確保を依頼するための確保依頼メッセージを前記サーバに送信する確保依頼ステップと、前記サーバが、前記確保依頼メッセージを受信した場合、前記共有スペースを前記サーバが備える第１の記憶部に生成するとともに、前記確保依頼メッセージに含まれる前記第１の識別情報を前記第１の記憶部に格納する共有スペース生成ステップと、前記第２の情報通信装置が、前記第２の情報通信装置又は前記第２のユーザを特定するための第２の識別情報を含む接続依頼メッセージを前記サーバに送信する接続依頼ステップと、前記サーバ装置が、前記接続依頼メッセージに含まれる前記第２の識別情報と、前記第１の記憶部に格納されている前記第１の識別情報とが一致する場合、前記第２の情報通信装置に、前記共有スペースへのアクセスを許可し、前記第２の識別情報と前記第１の識別情報とが一致しない場合、前記第２の情報通信装置に、前記共有スペースへのアクセスを許可しない接続制御ステップとを含む。
【００４０】
これによれば、第１の情報通信装置が、第２の情報通信装置又は第２のユーザを特定するための情報を含む確保依頼メッセージをサーバに送信し、第２の情報通信装置が、当該第２の情報通信装置又は第２のユーザを特定するための情報を含む接続依頼メッセージをサーバに送信するという簡単な処理で、第１の情報通信装置と第２の情報通信装置とでコンテンツを共有できる。このように当該コンテンツ共有方法は、簡単な操作で、その場に居合わせたメンバーでコンテンツを共有できる。
【００４１】
また、本発明の一態様に係る情報通信装置は、サーバと、第１の情報通信装置と、第２の情報通信装置とを含み、前記サーバ上の記憶領域である共有スペースを用いて、前記第１の情報通信装置の第１のユーザ及び前記第２の情報通信装置の第２のユーザがコンテンツを共有するためのコンテンツ共有システムにおいて前記第１の情報通信装置として用いられる情報通信装置であって、前記第２の情報通信装置又は前記第２のユーザを特定するための第１の識別情報を含み、新規共有スペースの確保を依頼するための確保依頼メッセージを前記サーバに送信する確保依頼部を備える。
【００４２】
この構成によれば、第１の情報通信装置が、第２の情報通信装置又は第２のユーザを特定するための情報を含む確保依頼メッセージをサーバに送信するという簡単な処理で、第１の情報通信装置と第２の情報通信装置とでコンテンツを共有できる。このように当該コンテンツ共有システムでは、簡単な操作で、その場に居合わせたメンバーでコンテンツを共有できる。
【００４３】
なお、これらの全般的又は具体的な態様は、システム、方法、集積回路、コンピュータプログラム又はコンピュータ読み取り可能なＣＤ−ＲＯＭなどの記録媒体で実現されてもよく、システム、方法、集積回路、コンピュータプログラム及び記録媒体の任意な組み合わせで実現されてもよい。
【００４４】
（実施の形態）
以下、本発明の実施の形態について、図面を参照しながら説明する。
【００４５】
なお、以下で説明する実施の形態は、いずれも本発明の一具体例を示すものである。以下の実施の形態で示される数値、形状、材料、構成要素、構成要素の配置位置及び接続形態、ステップ、ステップの順序などは、一例であり、本発明を限定する主旨ではない。また、以下の実施の形態における構成要素のうち、最上位概念を示す独立請求項に記載されていない構成要素については、任意の構成要素として説明される。
【００４６】
本実施の形態に係るコンテンツ共有システム１００では、第１の情報通信装置１１０は、共有スペースを共有する他の情報通信装置の電話番号を含む確保依頼メッセージを、サーバ１３０へ送信する。これにより、簡略化したユーザ操作でコンテンツを共有できる。
【００４７】
［コンテンツ共有システム１００の概要］
まず、本発明の実施の形態におけるコンテンツ共有システム１００の概要について説明する。
【００４８】
図１は、本発明に係るコンテンツ共有システム１００の概要を示す図である。コンテンツ共有システム１００は、第１の情報通信装置１１０、及び複数の第２の情報通信装置１２０と、サーバ１３０とを有する。
【００４９】
ここで、第１の情報通信装置１１０は、コンテンツを共有するユーザの中の代表者（ホストユーザ：第１のユーザ）により使用される。
【００５０】
また、第２の情報通信装置１２０は、コンテンツを共有するホストユーザ以外のユーザ（ゲストユーザ：第２のユーザ）により使用される。なお、第２の情報通信装置は少なくとも１台あればよいが、以下の実施の形態では、第２の情報通信装置が複数あるものとして説明する。
【００５１】
本実施の形態に係るコンテンツ共有システム１００は、サーバ１３０上の記憶領域である共有スペース１４０を用いて、ホストユーザ及びゲストユーザがコンテンツを共有するためのシステムである。コンテンツ共有システム１００では、ホストユーザが第１の情報通信装置１１０を用いて、コンテンツを共有するための共有スペースの確保をサーバ１３０に依頼する。同時に、ホストユーザはホストユーザ自身と共有スペースに接続するゲストユーザ全員の連絡先情報をサーバに１３０に送信する。サーバ１３０は共有スペースを確保して、連絡先情報で示されるホストユーザ及びゲストユーザを共有スペースに接続可能なユーザとして登録する。
【００５２】
これにより、ゲストユーザは、第２の情報通信装置１２０によって事前にサーバ１３０と手続きをすることなく、ゲストユーザ自身の連絡先情報を認証情報として用いてサーバ１３０上の共有スペースにアクセスすることができる。つまり、ゲストユーザは、複雑な操作をすることなく簡単に共有スペースにおいてコンテンツを共有することができる。
【００５３】
第１の情報通信装置１１０及び第２の情報通信装置１２０は、本実施の形態では、スマートフォンであるとして説明されるが、これに限定されない。例えば、第１及び第２の情報通信装置は、デジタルカメラ、又はタブレット端末などであってもよい。
【００５４】
また、サーバ１３０は、サーバ１３０上の共有スペースに格納されるコンテンツ、及び共有スペースにアクセスするユーザの情報などを管理する。例えば、サーバ１３０は、汎用のコンピュータを含むコンピュータシステムである。第１の情報通信装置１１０及び第２の情報通信装置１２０はネットワークを経由してサーバ１３０にアクセスする。
【００５５】
また、共有スペースは、サーバ１３０が管理する記憶装置上に確保される記憶領域である。
【００５６】
図２は、コンテンツ共有システム１００の動作の概要を示す図である。
【００５７】
まず、ホストユーザが第１の情報通信装置１１０によってサーバ１３０へ共有スペースの確保を依頼する。サーバ１３０は共有スペースを確保し、コンテンツを共有するユーザ全員（ホストユーザ及びゲストユーザ）を登録する。
【００５８】
次に、ゲストユーザが第２の情報通信装置１２０によってサーバ１３０へ共有スペースへの接続を依頼する。
【００５９】
認証完了後、ホストユーザ及び各ゲストユーザは、サーバ１３０上の共有スペースにアクセスし、コンテンツ（例えば、写真）のアップロード（ＵＬ）、及びダウンロード（ＤＬ）を行う。
【００６０】
図２に示されるように、サーバ１３０上には、複数のホストユーザの共有スペースが生成される。各共有スペースは、当該共有スペースの確保依頼を行ったホストユーザと当該ホストユーザが指定したゲストユーザによって共有される。
【００６１】
［コンテンツ共有システム１００の構成］
次に、コンテンツ共有システム１００の構成について説明する。図３は、コンテンツ共有システム１００の構成の一例を示す図である。
【００６２】
まず、第１の情報通信装置１１０の構成について説明する。
【００６３】
第１の情報通信装置１１０は、確保依頼部１１１と、記憶部１１２（第３の記憶部）とを備える。
【００６４】
記憶部１１２は、連絡先情報１１３を記憶する。
【００６５】
図４は、記憶部１１２に格納されている連絡先情報１１３の一例を示す図である。連絡先情報１１３は、自装置（第１の情報通信装置１１０）又は自装置のユーザ（ホストユーザ）の連絡先情報１１４と、他の装置（第２の情報通信装置１２０）又は他の装置のユーザ（ゲストユーザ）の連絡先情報１１５とを含む。例えば、記憶部１１２は、複数のユーザの連絡先（例えば電話番号）を示す電話帳のデータを記憶している。例えば、連絡先情報１１３は、この電話帳に含まれる情報である。
【００６６】
つまり、連絡先情報１１４及び１１５は、第１の情報通信装置１１０及び第２の情報通信装置１２０のそれぞれに対応付けられた情報である。本実施の形態では、連絡先情報は、第１の情報通信装置１１０及び第２の情報通信装置１２０の電話番号であるとして説明される。しかしながら、連絡先情報１１４及び１１５は、第１の情報通信装置１１０及び第２の情報通信装置１２０がスマートフォンなどの携帯端末である場合には、電子メールアドレス、又はＳＭＳ（Ｓｈｏｒｔ  Ｍｅｓｓａｇｅ  Ｓｅｒｖｉｃｅ）のアドレスであってもよい。また、連絡先情報１１４及び１１５は、第１の情報通信装置１１０及び第２の情報通信装置１２０を使用するユーザのＳＮＳのアカウント情報であってもよい。つまり、第１の情報通信装置１１０及び第２の情報通信装置１２０のそれぞれに対応付けられた情報とは、第１の情報通信装置１１０及び第２の情報通信装置１２０を使用するユーザに対応付けられた情報を含む。言い換えると、連絡先情報は、第１の情報通信装置１１０又はホストユーザと、第２の情報通信装置１２０又はゲストユーザを特定するための識別情報である。
【００６７】
確保依頼部１１１は、記憶部１１２に格納されている連絡先情報１１３を用いて、新規共有スペースを確保するための確保依頼メッセージを作成し、作成した確保依頼メッセージをサーバ１３０へ送信する。
【００６８】
図５は、確保依頼メッセージの構成を示す図である。
【００６９】
図５に示すように、確保依頼メッセージは、第１の情報通信装置１１０の連絡先情報１１６と、第２の情報通信装置１２０の連絡先情報１１７（第１の識別情報）とを含む。ここで、連絡先情報１１６は、記憶部１１２に格納されている連絡先情報１１４と同一の情報である。確保依頼部１１１は、記憶部１１２から連絡先情報１１４を読み出し、当該連絡先情報１１４を連絡先情報１１６として含む確保依頼メッセージを作成する。また、連絡先情報１１７は、記憶部１１２に格納されている複数の連絡先情報１１５うちホストユーザにより選択されたゲストユーザの連絡先情報である。
【００７０】
なお、確保依頼メッセージは、さらに、共有スペースの容量（記憶容量）を示す情報、及び共有スペースの有効期限を示す情報の少なくとも一方を含んでもよい。また、図５に示すように、確保依頼メッセージは、さらに、第２の情報通信装置１２０を認証するための認証情報１１８（第１の認証情報）を含んでもよい。認証情報１１８は、例えば、事前にホストユーザとゲストユーザとで予め決められたキーワードである。なお、認証情報１１８は、第１の情報通信装置１１０で、特定のオブジェクトが撮影された写真（画像）であってもよい。
【００７１】
サーバ１３０は、確保依頼メッセージを受信した場合、サーバ１３０上に共有スペース１４０を生成する。また、確保依頼部１１１は、サーバ１３０に確保された共有スペース１４０にアクセスするための共有スペース接続情報をサーバ１３０から受信する。この共有スペース接続情報は共有スペースアドレス情報を含む。
【００７２】
共有スペースアドレス情報は、第１の情報通信装置１１０及び第２の情報通信装置１２０が共有スペースにアクセスするための情報であり、例えば、共有スペースのＵＲＩ（Ｕｎｉｆｏｒｍ  Ｒｅｓｏｕｒｃｅ  Ｉｄｅｎｔｉｆｉｅｒ）を表す情報である。共有スペースアドレス情報は、本実施の形態では、例えば、共有スペースのＵＲＬ情報であるとして説明される。
【００７３】
図６は、第１の情報通信装置１１０のハードウェア構成の一例を示す図である。図６に示すように第１の情報通信装置１１０は、ユーザの操作を受け付けるユーザ入力インターフェースである入力受付部２０１と、液晶ディスプレイ等のディスプレイである表示部２０２と、ＣＰＵ等である制御部２０３と、通信インターフェースであり、外部機器との通信を行う通信部２０４と、記憶部２０５と、ＳＩＭ（Ｓｕｂｓｃｒｉｂｅｒ  Ｉｄｅｎｔｉｆｙ  Ｍｏｄｕｌｅ）カード２０６とを備える。
【００７４】
記憶部２０５は、ＤＲＡＭ（Ｄｙｎａｍｉｃ  ｒａｎｄｏｍ  ａｃｃｅｓｓ  ｍｅｍｏｒｙ）、ＳＤＲＡＭ（Ｓｙｎｃｈｒｏｎｏｕｓ  ｄｙｎａｍｉｃ  ｒａｎｄｏｍ  ａｃｃｅｓｓ  ｍｅｍｏｒｙ）、フラッシュメモリ、強誘電体メモリ、又はＨＤＤ（Ｈａｒｄ  ｄｉｓｋ  ｄｒｉｖｅ）等のデータを記憶可能な媒体である。また、記憶部２０５、複数の異なる媒体から構成されていてもよい。
【００７５】
ＳＩＭカード２０６は、自身へのアクセス制限機能を有している。つまり、第１の情報通信装置１１０から、ＳＩＭカード２０６が記憶しているデータへのアクセス（書き換え及び読み出し）は制限されている。
【００７６】
連絡先情報１１３が格納される記憶部１１２は、例えば、記憶部２０５及びＳＩＭカード２０６の少なくとも一方により実現される。なお、第１の情報通信装置１１０の連絡先情報１１４と、第２の情報通信装置１２０の連絡先情報１１５とが異なる領域又は媒体に格納されてもよい。例えば、連絡先情報１１４は、ＳＩＭカード２０６に格納され、連絡先情報１１５は、アクセス制限機能のない通常のメモリ（記憶部２０５）に格納されてもよい。
【００７７】
また、確保依頼部１１１の機能は、例えば、入力受付部２０１、制御部２０３及び通信部２０４により実現される。
【００７８】
以上、実施の形態に係る第１の情報通信装置１１０の構成について述べた。
【００７９】
次に、第２の情報通信装置１２０の構成について説明する。
【００８０】
第２の情報通信装置１２０は、接続依頼部１２１と、記憶部１２２（第２の記憶部）とを備える。
【００８１】
記憶部１２２は、第１の情報通信装置１１０又はホストユーザの連絡先情報と、第２の情報通信装置１２０又は第２の情報通信装置１２０を利用するユーザの連絡先情報とを含む連絡先情報１２３が記憶している。なお、格納されている情報は、記憶されている情報の具体的な内容（値）を除いて、記憶部１１２と同様である。
【００８２】
接続依頼部１２１は、記憶部１２２に格納されている連絡先情報１２３を用いて、共有スペース１４０に接続するための接続依頼メッセージを作成し、作成した接続依頼メッセージをサーバ１３０へ送信する。
【００８３】
図７は、接続依頼メッセージの一例を示す図である。図７に示すように、接続依頼メッセージは、第２の情報通信装置１２０の連絡先情報１２５（第２の識別情報）と、接続先の共有スペース１４０を指定する共有スペース指定情報１２４とを含む。
【００８４】
なお、ここでは、共有スペース指定情報１２４として、接続先の共有スペース１４０を作成した第１の情報通信装置１１０の連絡先情報が用いられているが、共有スペース指定情報１２４として、接続先の共有スペース１４０を示す他の情報が用いられてもよい。例えば、共有スペース指定情報１２４は、接続先の共有スペース１４０のＩＤ等であってもよい。
【００８５】
更に、図７に示すように、接続依頼メッセージは、第２の情報通信装置１２０を認証するための認証情報１２６（第２の認証情報）を含んでもよい。この認証情報１２６は、上述した確保依頼メッセージに含まれる認証情報１１８に対応する。認証情報１２６は、例えば、事前にホストユーザとゲストユーザとで決めたキーワード、又は、第２の情報通信装置１２０で特定のオブジェクトが撮影された写真（画像）である。
【００８６】
サーバ１３０は共有スペース接続依頼メッセージを受信した場合、サーバ１３０上の指定された共有スペースへの接続の認証を実施する。また、接続依頼部１２１は、サーバ１３０に確保された共有スペースにアクセスするための共有スペース接続情報をサーバ１３０から受信する。
【００８７】
また、共有スペース接続情報の詳細は、第１の情報通信装置１１０と同様である。また、第２の情報通信装置１２０のハードウェア構成は、例えば、図６に示す第１の情報通信装置１１０の構成と同様である。また、記憶部１２２の構成例も記憶部１１２と同様である。つまり、連絡先情報１２３が格納される記憶部１２２は、例えば、記憶部２０５及びＳＩＭカード２０６の少なくとも一方により実現される。なお、第１の情報通信装置１１０の連絡先情報と、第２の情報通信装置１２０の連絡先情報とが異なる領域又は媒体に格納されてもよい。例えば、第２の情報通信装置１２０（自装置）の連絡先情報１１４は、第２の情報通信装置１２０からのアクセス（書き換え及び読み出し）は制限されているメモリ（ＳＩＭカード２０６）に格納され、第１の情報通信装置１１０（他装置）の連絡先情報は、アクセス制限機能のない通常のメモリ（記憶部２０５）に格納されてもよい。つまり、接続依頼部１２１は、記憶部１２２に記憶されている第２の情報通信装置１２０の識別情報を読み出し、読み出した識別情報を含む接続依頼メッセージをサーバ１３０に送信してもよい。
【００８８】
また、接続依頼部１２１の機能は、例えば、入力受付部２０１、制御部２０３及び通信部２０４により実現される。
【００８９】
以上、本実施の形態に係る第２の情報通信装置１２０の構成について述べた。
【００９０】
次に、サーバ１３０の構成について説明する。
【００９１】
サーバ１３０は、共有スペース生成部１３１と、記憶部１３３（第１の記憶部）と、接続制御部１３２とを備える。
【００９２】
共有スペース生成部１３１は、第１の情報通信装置１１０から確保依頼メッセージを受信した場合、記憶部１３３に共有スペース１４０を生成する。また、共有スペース生成部１３１は、共有スペース１４０の関連情報である共有スペース管理情報１５０を生成し、生成した共有スペース管理情報１５０を記憶部１３３に保存する。また、共有スペース生成部１３１は、複数の確保依頼メッセージに応じて、複数の共有スペースを記憶部１３３に生成するとともに、各共有スペースに対応する共有スペース管理情報１５０を記憶部１３３に格納する。
【００９３】
図８は、本実施の形態に係る共有スペース管理情報１５０の一例を示す図である。共有スペース管理情報１５０は、共有スペース１４０毎に、その共有スペース１４０のＩＤを示す共有スペースＩＤ１４１と、その共有スペース１４０のアドレスである共有スペースアドレス情報１４２と、その共有スペース１４０にアクセス可能な情報通信装置又はユーザを特定するための連絡先情報１４３と、その共有スペース１４０にアクセスするための認証情報１４６とを含む。連絡先情報１４３は、その共有スペース１４０にアクセス可能な、第１の情報通信装置１１０又はホストユーザを特定するための連絡先情報１４４と、第２の情報通信装置１２０又はゲストユーザを特定するための連絡先情報１４５とを含む。
【００９４】
具体的には、共有スペース生成部１３１は、生成した共有スペース１４０のＩＤ及びアドレスを共有スペースＩＤ１４１及び共有スペースアドレス情報１４２に設定する。また、共有スペース生成部１３１は、確保依頼メッセージに含まれる、第１の情報通信装置１１０の連絡先情報１１６、第２の情報通信装置１２０の連絡先情報１１７、及び認証情報１１８を、連絡先情報１４４、連絡先情報１４５及び認証情報１４６に設定する。
【００９５】
また、共有スペース生成部１３１は、生成した共有スペース１４０の共有スペースアドレス情報１４２を示す共有スペース接続情報を作成し、作成した共有スペース接続情報を第１の情報通信装置１１０に送信する。
【００９６】
接続制御部１３２は、第２の情報通信装置１２０から接続依頼メッセージを受信した場合、第２の情報通信装置１２０の認証処理を実施する。認証処理の一例として、接続制御部１３２は、記憶部１３３に格納されている共有スペース管理情報１５０を読み出し、接続依頼メッセージに含まれる共有スペース指定情報１２４で指定される共有スペース１４０の第２の情報通信装置１２０の連絡先情報１４５に、接続依頼メッセージに含まれる第２の情報通信装置１２０の連絡先情報１２５が含まれているかどうかを確認する。接続制御部１３２は、連絡先情報１４５に連絡先情報１２５が含まれていればアクセス可能と判断し、第２の情報通信装置１２０に、共有スペース１４０のアドレスを示す共有スペース接続情報を送信する。
【００９７】
このように、接続制御部１３２は、接続依頼メッセージに含まれる連絡先情報１２５（第２の識別情報）と、記憶部１３３に格納されている、接続先の共有スペース１４０に対応する連絡先情報１４５（第１の識別情報）とが一致する場合、第２の情報通信装置１２０に、接続先の共有スペース１４０へのアクセスを許可し、連絡先情報１２５と連絡先情報１４５とが一致しない場合、第２の情報通信装置１２０に、接続先の共有スペース１４０へのアクセスを許可しない。
【００９８】
また、認証情報が用いられる場合には、接続制御部１３２は、連絡先情報１２５と連絡先情報１４５とが一致し、かつ、接続依頼メッセージに含まれる認証情報１２６（第２の認証情報）と、記憶部１３３に格納されている、接続先の共有スペース１４０に対応する認証情報１４６（第１の認証情報）とが一致する場合、第２の情報通信装置１２０に、共有スペース１４０へのアクセスを許可し、認証情報１２６と認証情報１４６とが一致しない場合、第２の情報通信装置１２０に、接続先の共有スペース１４０へのアクセスを許可しない。
【００９９】
また、接続制御部１３２は、認証情報がキーワードである場合には、例えば、２つの認証情報に示されるキーワードが同一である場合には、２つの認証情報が一致すると判定する。また、接続制御部１３２は、認証情報が画像である場合には、例えば、２つの画像に同一のオブジェクトが含まれる場合に、２つの認証情報が一致すると判定する。つまり、２つの認証情報が一致するとは、当該２つの認証情報が完全に同一である必要はなく、当該２つの認証情報が所定の関係を満たす場合を含む。
【０１００】
記憶部１３３は、サーバ１３０が備える記憶装置（記憶領域）であり、記憶部１３３には共有スペース１４０が生成される。共有スペース１４０には、第１の情報通信装置１１０及び第２の情報通信装置１２０からアップロードされたコンテンツが格納される。また、記憶部１３３は、共有スペース管理情報１５０を記憶する。記憶部１３３は、例えばハードディスクドライブなどの記憶装置である。なお、本実施の形態では、記憶部１３３は、サーバ１３０に内蔵されているが、記憶部１３３は、ＵＳＢ（Ｕｎｉｖｅｒｓａｌ  Ｓｅｒｉａｌ  Ｂｕｓ）等のインターフェースによりサーバ１３０に接続された記憶装置でもよい。また、記憶部１３３は、ネットワークを介してサーバ１３０に接続された記憶装置でもよい。また、記憶部１３３は、これらの組み合わせであってもよい。また、共有スペース管理情報１５０は、共有スペース１４０と異なる記憶装置に格納されてもよい。
【０１０１】
なお、各装置に含まれる処理部（機能ブロック）の分割は一例であり、複数の機能ブロックを一つの機能ブロックとして実現したり、一つの機能ブロックを複数に分割したり、一部の機能を他の機能ブロックに移してもよい。また、類似する機能を有する複数の機能ブロックの機能を単一のハードウェア又はソフトウェアが並列又は時分割に処理してもよい。
【０１０２】
例えば、サーバ１３０は、共有スペース生成部１３１及び接続制御部１３２と、記憶部１３３との間に介在する共有スペース管理部を備えてもよい。この共有スペース管理部は、共有スペース１４０へのコンテンツの入出力等の共有スペースの管理処理（例えば、共有スペース１４０の生成、並びに、共有スペース管理情報１５０の読出及び書込など）を行う。また、共有スペース管理部は、共有スペース生成部１３１及び接続制御部１３２からの指示に従い、上記管理処理を行う。
【０１０３】
以上のような構成により、第１の情報通信装置１１０は、サーバ１３０にアクセスすることで、コンテンツを共有するための共有スペース１４０をサーバ１３０上に確保するとともに、コンテンツを共有したいゲストユーザが使用する第２の情報通信装置１２０の連絡先情報をサーバ１３０に登録する。これにより、第２の情報通信装置１２０は、事前にサーバ１３０にアクセスすることなく、自身の連絡先情報を認証情報として用いることで共有スペース１４０にアクセスできる。このように、本実施の形態では、ユーザが複雑な操作をすることなく簡単にサーバ１３０上の共有スペースにアクセスすることができる。
【０１０４】
［コンテンツ共有システムの全体動作］
次に、コンテンツ共有システム１００における全体の動作について説明する。
【０１０５】
図９は、コンテンツ共有システム１００の全体動作のシーケンスを示す図である。
【０１０６】
コンテンツ共有システム１００では、まず、第１の情報通信装置１１０がサーバ１３０に共有スペースの確保を依頼する（Ｓ１１０）。次に、第２の情報通信装置１２０がサーバ１３０に共有スペースへの接続を依頼し、認証される（Ｓ１２０）。
【０１０７】
具体的には、共有スペース確保依頼処理（Ｓ１１０）では、ホストユーザは共有スペースの新規確保を指示し（Ｓ１１１）、第１の情報通信装置１１０はサーバ１３０に共有スペースの確保を依頼し（Ｓ１１２）、サーバ１３０は共有スペースを確保し（Ｓ１１３）、サーバ１３０は共有スペース接続情報を第１の情報通信装置１１０に送信する（Ｓ１１４）。また、共有スペース接続依頼処理（Ｓ１２０）では、ゲストユーザは共有スペースへの接続を指示し（Ｓ１２１）、第２の情報通信装置１２０はサーバ１３０に共有スペースへの接続を依頼し（Ｓ１２２）、サーバ１３０は、第２の情報通信装置１２０の共有スペースへの接続認証を実施し（Ｓ１２３）、サーバ１３０は共有スペース接続情報を第２の情報通信装置１２０へ送信する（Ｓ１２４）。
【０１０８】
以下、共有スペース確保依頼処理（Ｓ１１０）、及び、共有スペース接続依頼処理（Ｓ１２０）のそれぞれについて詳細に説明する。
【０１０９】
［共有スペース確保依頼処理］
まず、共有スペース確保依頼処理（Ｓ１１０）について詳述する。共有スペース確保依頼処理は第１の情報通信装置１１０の処理とサーバ１３０の処理とを含む。最初に、第１の情報通信装置１１０の処理について説明する。
【０１１０】
図１０は、本実施の形態における第１の情報通信装置１１０の共有スペース確保依頼処理のフローチャートである。
【０１１１】
まず、確保依頼部１１１は、ホストユーザが指示した共有スペースの新規確保を受け付ける（Ｓ２１１）。例えば、この指示は、図６に示す入力受付部２０１により受け付けられる。図１１Ａ〜図１１Ｃは、この時に表示部２０２に表示される画面例を示す図である。図１１Ａに示すように、ホストユーザは、電話帳に登録されている複数のユーザから、共有スペースを共有するゲストユーザを選択する。また、図１１Ｂに示すように、ホストユーザは、認証情報として用いられるキーワードを入力する。また、図１１Ｃに示すように、ホストユーザは、共有スペースを識別するための情報として、例えば、共有スペースの名前を入力する。
【０１１２】
なお、認証情報として、特定のオブジェクトを撮影した写真（画像）が用いられる場合には、図１２Ａ及び図１２Ｂに示すように、ホストユーザは、認証情報として用いるオブジェクトを撮影する。
【０１１３】
次に、確保依頼部１１１は、記憶部１１２から、第１の情報通信装置１１０の連絡先情報１１４と、ホストユーザにより指示されたゲストユーザが使用する第２の情報通信装置１２０の連絡先情報１１５とを取得する（Ｓ２１２）。次に、確保依頼部１１１は、取得した第１の情報通信装置１１０及び第２の情報通信装置１２０の連絡先情報１１４及び１１５（１１６及び１１７）と、ホストユーザにより指示された認証情報１１８（キーワード又は画像）と、共有スペースを識別するための情報（例えば、共有スペース名）とを含む確保依頼メッセージを生成する（Ｓ１２３）。なお、認証情報１１８及び共有スペースを識別するための情報は、確保依頼メッセージに必ずしも含まれる必要はない。
【０１１４】
なお、前記の通り記憶部１１２が自身へのアクセス制限機能を有している場合、第１の情報通信装置１１０の連絡先情報１１４（１１６）の改ざんを回避できる。
【０１１５】
次に、確保依頼部１１１は、確保依頼メッセージをサーバ１３０に送信し（Ｓ２１４）、サーバ１３０からの共有スペース接続情報の返信を待つ（Ｓ２１５）。確保依頼部１１１は、サーバ１３０から共有スペース接続情報を受信すると、共有スペース１４０にアクセスできるように共有スペース接続情報に含まれる共有スペース１４０のアドレス（ＵＲＩ）を第１の情報通信装置１１０に設定する（Ｓ２１６）。
【０１１６】
以降、第１の情報通信装置１１０は、設定された共有スペース１４０のアドレスにアクセスすることにより、共有スペース１４０へのアクセス（コンテンツのアップロード及びダウンロード）を行う（Ｓ２１７）。
【０１１７】
なお、本実施の形態では、連絡先情報は電話番号である。これにより、第１の情報通信装置１１０及び第２の情報通信装置１２０のそれぞれにおいて予め連絡先情報が格納されているユーザ間で簡易に共有スペース１４０を確保することが可能である。
【０１１８】
次に、サーバ１３０の処理について説明する。
【０１１９】
図１３は、本実施の形態におけるサーバ１３０の共有スペース確保依頼処理のフローチャートである。
【０１２０】
まず、共有スペース生成部１３１は、第１の情報通信装置１１０から確保依頼メッセージを受信した場合（Ｓ２２１）、記憶部１３３に共有スペース１４０を生成する（Ｓ２２２）。
【０１２１】
なお、前述の通り確保依頼メッセージは、共有スペースの容量（記憶容量）を指定する情報、及び共有スペースの有効期限を指定する情報の少なくとも一方を含んでもよい。この場合、サーバ１３０は、指定された容量、又は指定された有効期限の共有スペースを作成する。
【０１２２】
また、共有スペース生成部１３１は、生成した共有スペース１４０のＩＤ及びアドレスを示す共有スペースＩＤ１４１及び共有スペースアドレス情報１４２と、確保依頼メッセージに含まれる連絡先情報１１６、１１７及び認証情報１１８である連絡先情報１４４、１４５及び認証情報１４６とを含む共有スペース管理情報１５０を記憶部１３３に格納する（Ｓ２２３）。
【０１２３】
なお、共有スペース１４０及び共有スペース管理情報１５０は、サーバ１３０においてすでに生成されている共有スペース及び共有スペース管理情報とは重複しないように生成され、格納される。
【０１２４】
次に、共有スペース生成部１３１は、共有スペース管理情報１５０に含まれる共有スペースアドレス情報１４２を取得し、共有スペースアドレス情報１４２を含む共有スペース接続情報を作成する（Ｓ２２４）。最後に、共有スペース生成部１３１は第１の情報通信装置１１０に共有スペース接続情報を送信する（Ｓ２２５）。
【０１２５】
なお、ステップＳ２２１〜Ｓ２２５の処理順序は、一例であり、必ずしもこの順序でなくてもよい。また、複数のステップが並列処理されてもよい。
【０１２６】
なお、上述のように、共有スペース管理部が設けられる場合には、共有スペース生成部１３１からの指示に基づき、当該共有スペース管理部により、共有スペース１４０の生成、及び共有スペース管理情報１５０の格納等が実行される。
【０１２７】
［共有スペース接続依頼処理］
次に、共有スペース接続依頼処理（Ｓ１２０）について詳述する。共有スペース接続依頼処理は第２の情報通信装置１２０の処理とサーバ１３０の処理とを含む。最初に、第２の情報通信装置１２０の処理について説明する。
【０１２８】
図１４は、第２の情報通信装置１２０の共有スペース接続依頼処理のフローチャートである。
【０１２９】
まず、接続依頼部１２１は、ゲストユーザが指示した共有スペースの接続指示を受け付ける（Ｓ２３１）。例えば、この指示は、図６に示す入力受付部２０１により受け付けられる。また、図１１Ａに示すように、ゲストユーザは、電話帳に登録されている複数のユーザから、共有スペース１４０を作成したホストユーザを選択する。また、図１１Ｂに示すように、ゲストユーザは、認証情報として用いられるキーワードを入力する。なお、認証情報として、特定のオブジェクトを撮影した写真（画像）が用いられる場合には、図１２Ａに示すように、ゲストユーザは、認証情報として用いるオブジェクトを撮影する。例えば、このオブジェクトはホストユーザにより撮影されたオブジェクトと同一のオブジェクトである。
【０１３０】
次に、接続依頼部１２１は、記憶部１２２から、第２の情報通信装置１２０の連絡先情報と、ゲストユーザにより指定されたホストユーザが使用する第１の情報通信装置１１０の連絡先情報とを取得する（Ｓ２３２）。次に、接続依頼部１２１は、取得した第１の情報通信装置１１０の連絡先情報（共有スペース指定情報１２４）及び第２の情報通信装置１２０の連絡先情報１２５と、ゲストユーザにより指定された認証情報１２６（キーワード又は画像）とを含む接続依頼メッセージを生成する（Ｓ２３３）。
【０１３１】
なお、ここでは、共有スペースを識別するための共有スペース指定情報１２４として、共有スペース１４０を作成したホストユーザの連絡先情報が用いられているが、他の情報が用いられてもよい。例えば、共有スペース指定情報１２４として、ホストユーザが設定した共有スペースの名前、ＩＤ、又はアドレス等が用いられてもよい。また、共有スペース指定情報１２４として、これらの情報のうち複数の情報が用いられてもよい。また、認証情報１２６及び共有スペース指定情報１２４は、接続依頼メッセージに必ずしも含まれる必要はない。なお、接続依頼メッセージに共有スペース指定情報１２４が含まれない場合には、サーバ１３０は、複数の共有スペースのうち、接続依頼メッセージに含まれる第２の情報通信装置１２０の連絡先情報が登録されている共有スペースを、接続対象の共有スペースと判定すればよい。
【０１３２】
なお、前記の通り記憶部１２２が自身へのアクセス制限機能を有している場合、第２の情報通信装置１２０の連絡先情報の改ざんを回避できる。
【０１３３】
次に、接続依頼部１２１は、接続依頼メッセージをサーバ１３０に送信し（Ｓ２３４）、サーバ１３０からの共有スペース接続情報の返信を待つ（Ｓ２３５）。接続依頼部１２１は、サーバ１３０から共有スペース接続情報を受信すると、共有スペース１４０にアクセスできるように共有スペース接続情報に含まれる共有スペース１４０のアドレス（ＵＲＩ）を第２の情報通信装置１２０に設定する（Ｓ２３６）。
【０１３４】
以降、第２の情報通信装置１２０は、設定された共有スペース１４０のアドレスにアクセスすることにより、共有スペース１４０へのアクセス（コンテンツのアップロード及びダウンロード）を行う（Ｓ２３７）。
【０１３５】
なお、第２の情報通信装置１２０の認証処理は、初回の接続依頼時のみに行われてもよいし、２回目以降のアクセス時にも行われてもよい。また、２回目以降のアクセス時に行われる認証処理は、初回の接続依頼時の認証処理と同じでもよいし、当該認証処理の一部のみを含んでもよい。
【０１３６】
同様に、第１の情報通信装置１１０から共有スペース１４０へアクセスが行われる際に、第１の情報通信装置１１０の認証処理が行われてもよい。第１の情報通信装置１１０の認証処理は、例えば、第２の情報通信装置１２０を認証処理の説明において、第２の情報通信装置１２０を第１の情報通信装置１１０に置き換えた場合と同様である。
【０１３７】
次に、サーバ１３０の処理について説明する。
【０１３８】
図１５は、本実施の形態におけるサーバ１３０の共有スペース接続依頼処理のフローチャートである。
【０１３９】
まず、接続制御部１３２は、第２の情報通信装置１２０から接続依頼メッセージを受信し（Ｓ２４１）、接続依頼メッセージに含まれる、共有スペース指定情報１２４と、第２の情報通信装置１２０の連絡先情報１２５と、認証情報１２６とを抽出する（Ｓ２４２）。次に、接続制御部１３２は、第２の情報通信装置１２０の接続認証処理を実施する（Ｓ２４３及びＳ２４４）。
【０１４０】
具体的には、接続制御部１３２は、共有スペース指定情報１２４で指定される接続先共有スペースの共有スペース管理情報１５０から第２の情報通信装置１２０の連絡先情報１４５を読み出し、読み出した連絡先情報１４５に、ステップＳ２４２で抽出した連絡先情報１２５が含まれているかどうかを確認する（Ｓ２４３）。また、接続制御部１３２は、共有スペース指定情報１２４で指定される接続先共有スペースの共有スペース管理情報１５０から認証情報１４６を読み出し、読み出した認証情報１４６と、ステップＳ２４２で抽出した認証情報１２６とが一致するか否かを確認する（Ｓ２４４）。なお、ステップＳ２４３及びＳ２４４の処理の順序は任意でよく、同時に実行されてもよい。
【０１４１】
そして、接続制御部１３２は、連絡先情報１２５が連絡先情報１４５に含まれており、かつ、認証情報１４６と認証情報１２６とが一致する場合（Ｓ２４３でＹｅｓ、かつＳ２４４でＹｅｓ）、第２の情報通信装置１２０が共有スペース１４０に接続可能であると判断する。
【０１４２】
なお、このように、接続制御部１３２は、第２の情報通信装置１２０の連絡先情報と認証情報との両方を使って認証処理を実施する。これにより、第２の情報通信装置１２０のなりすましを回避することが可能となる。なお、接続制御部１３２は、認証処理に、認証情報を用いず、第２の情報通信装置１２０の連絡先情報のみを用いてもよい。この場合には、各メッセージ及び共有スペース管理情報１５０等に認証情報が含まれる必要はない。
【０１４３】
また、接続制御部１３２は、認証処理に、第１の情報通信装置１１０の連絡先情報を用いてもよい。例えば、接続依頼メッセージに共有スペース指定情報１２４が含まれない場合、又は、共有スペース指定情報１２４が第１の情報通信装置１１０の連絡先情報以外の情報が用いられる場合には、接続依頼メッセージは、認証情報１２６として、第１の情報通信装置１１０の連絡先情報を含む。そして、接続制御部１３２は、第１の情報通信装置１１０の連絡先情報と第２の情報通信装置１２０の連絡先情報の両方を使って認証処理を実施する。これにより、第２の情報通信装置１２０が第１の情報通信装置１１０の連絡先情報を知っている場合のみ、第２の情報通信装置１２０は共有スペース１４０にアクセス可能となる。なお、認証処理に、上述したキーワード、画像及び第１の情報通信装置１１０の連絡先情報のうち２以上が用いられてもよい。
【０１４４】
次に、接続制御部１３２は、共有スペース管理情報１５０に含まれる共有スペースアドレス情報１４２を取得し、共有スペースアドレス情報１４２を含む共有スペース接続情報を作成する（Ｓ２４５）。最後に、接続制御部１３２は第２の情報通信装置１２０に共有スペース接続情報を送信する（Ｓ２４６）。
【０１４５】
なお、ステップＳ２４１〜Ｓ２４６の処理順序は、一例であり、必ずしもこの順序でなくてもよい。また、複数のステップが並列処理されてもよい。
【０１４６】
なお、上述のように、共有スペース管理部が設けられる場合には、接続制御部１３２からの指示に基づき、当該共有スペース管理部により、記憶部１３３からの共有スペース管理情報１５０及び共有スペースアドレス情報１４２の読み出し等が行われる。
【０１４７】
また、上記説明は、第２の情報通信装置１２０の接続先の共有スペースの候補を特定できる場合を説明した。以下、第２の情報通信装置１２０の接続先の共有スペースの候補が複数存在する場合のコンテンツ共有システム１００の動作を説明する。
【０１４８】
図１６は、この場合のコンテンツ共有システム１００の動作を示す図である。なお、以下では、ホストユーザにより、複数の共有スペース１４０が形成されており、接続依頼メッセージに含まれる共有スペース指定情報１２４として、第１の情報通信装置１１０の連絡先情報が用いられている場合を例に説明する。
【０１４９】
まず、ゲストユーザは共有スペースへの接続を指示し（Ｓ１３１）、第２の情報通信装置１２０はサーバ１３０に共有スペースへの接続を依頼する接続依頼メッセージを送信する（Ｓ１３２）。
【０１５０】
次に、サーバ１３０は、第２の情報通信装置１２０の共有スペースへの接続認証を実施する（Ｓ１３３）。まず、サーバ１３０の接続制御部１３２は、記憶部１３３に含まれる複数の共有スペースのうち、ホストユーザ（第１の情報通信装置１１０）からの依頼により生成された共有スペースを特定する。具体的には、接続制御部１３２は、共有スペース管理情報１５０に含まれる第１の情報通信装置１１０の連絡先情報１４４が、共有スペース指定情報１２４で示される連絡先情報と一致する共有スペースを特定する。これにより、ホストユーザからの依頼により生成された複数の共有スペースが抽出される。
【０１５１】
なお、ホストユーザからの依頼により生成された共有スペースが一つの場合の動作は、上述した実施の形態と同様である。
【０１５２】
次に、接続制御部１３２は、特定された複数の共有スペースの一覧である共有スペースリストを第２の情報通信装置１２０へ送信する（Ｓ１３４）。
【０１５３】
第２の情報通信装置１２０が共有スペースリストを受信した場合、表示部２０２は、受信した共有スペースリストを表示する。図１７は、表示部２０２が表示する画面例を示す図である。なお、図１７では、共有スペースの名前のみが表示されているが、共有スペースの名前に加え、共有スペースのＩＤ、共有スペースが生成された日時、更新された日時、ホストユーザ又は第１の情報通信装置１１０を示す情報、及び、ゲストユーザ又は第２の情報通信装置１２０を示す情報のうち少なくとも一つが表示されてもよい。
【０１５４】
ゲストユーザは、表示された複数の共有スペースから接続先の共有スペースを選択し、第２の情報通信装置１２０（入力受付部２０１）は、ゲストユーザが選択した共有スペースを示す情報を取得する（Ｓ１３６）。次に、第２の情報通信装置１２０は、サーバ１３０に、ゲストユーザにより選択された共有スペースを示す共有スペース指定情報１２４を含む接続依頼メッセージを送信する（Ｓ１３７）。例えば、この共有スペース指定情報１２４は、選択された共有スペースのＩＤ、又は名前等を示す。
【０１５５】
次に、サーバ１３０は、第２の情報通信装置の、接続依頼メッセージに含まれる共有スペース指定情報１２４で示される接続先の共有スペースへの接続認証を実施し（Ｓ１３８）、共有スペース接続情報を第２の情報通信装置１２０へ返信する（Ｓ１３９）。なお、これらの処理の詳細は、上述した実施の形態と同様である。
【０１５６】
以上の処理により、ゲストユーザは、ホストユーザにより複数の共有スペース１４０が形成されており、接続依頼メッセージに含まれる共有スペース指定情報１２４として、第１の情報通信装置１１０の連絡先情報が用いられている場合であっても、目的とする共有スペース１４０へアクセスすることができる。
【０１５７】
なお、ここでは、ホストユーザにより、複数の共有スペース１４０が形成されており、１回目の接続依頼メッセージ送信時（Ｓ１３２）に、当該接続依頼メッセージに含まれる共有スペース指定情報１２４として、第１の情報通信装置１１０の連絡先情報が用いられている場合を例に説明したが、共有スペース指定情報１２４を用いない場合等、接続先の共有スペース１４０を特定できない場合にも上記処理と同様に、共有スペースリストが送信されてもよい。例えば、１回目の接続依頼メッセージ送信時（Ｓ１３２）に、当該接続依頼メッセージに共有スペース指定情報１２４が含まれない場合には、複数のホストユーザにより生成された複数の共有スペースの全てを示す共有スペースリストが、サーバ１３０から第２の情報通信装置１２０へ送信されてもよい。なお、共有スペースリストは、複数の共有スペースのうち、接続依頼メッセージに含まれる第２の情報通信装置１２０の連絡先情報が登録されている複数の共有スペースを示してもよい。そして、ゲストユーザは、共有スペースリストから接続先の共有スペース１４０を選択し、第２の情報通信装置１２０は、選択された共有スペース１４０を示す情報を含む２回目の接続依頼メッセージを再度サーバ１３０へ送信する（Ｓ１３７）。
【０１５８】
また、ここでは、共有スペース接続依頼を行った場合において、共有スペースを特定できない場合に共有スペースリストが送信される例を述べたが、第２の情報通信装置１２０は、予め共有スペースリストの送信を依頼するメッセージを送信してもよい。
【０１５９】
以上のように、本実施の形態に係るコンテンツ共有システム１００では、第１の情報通信装置１１０がサーバ１３０に共有スペースを確保すると同時に、コンテンツを共有する全ての第２の情報通信装置１２０の連絡先情報をサーバ１３０に登録する。これにより、ユーザは、予め所定のサーバ又はサービスにユーザ情報を登録することなく、簡単な操作でコンテンツを共有することができる。また、各装置における処理量を低減できる。
【０１６０】
［変形例］
本発明は以下のように変形できる。
【０１６１】
（１）上記の各装置は、具体的には、マイクロプロセッサ、ＲＯＭ、ＲＡＭ、ハードディスクユニット、ディスプレイユニット、キーボード、及びマウスなどから構成されるコンピュータシステムで実現され得る。ＲＡＭ又はハードディスクユニットには、コンピュータプログラムが記憶されている。マイクロプロセッサが、コンピュータプログラムにしたがって動作することにより、各装置は、その機能を達成する。ここでコンピュータプログラムは、所定の機能を達成するために、コンピュータに対する指令を示す命令コードが複数個組み合わされて構成されたものである。
【０１６２】
（２）上記の各装置を構成する構成要素の一部又は全部は、１個のシステムＬＳＩ（Ｌａｒｇｅ  Ｓｃａｌｅ  Ｉｎｔｅｇｒａｔｉｏｎ：大規模集積回路）から構成されているとしてもよい。システムＬＳＩは、複数の構成部を１個のチップ上に集積して製造された超多機能ＬＳＩであり、具体的には、マイクロプロセッサ、ＲＯＭ及びＲＡＭなどを含んで構成されるコンピュータシステムである。ＲＯＭには、コンピュータプログラムが記憶されている。マイクロプロセッサが、ＲＯＭからＲＡＭにコンピュータプログラムをロードし、ロードしたコンピュータプログラムにしたがって演算等の動作することにより、システムＬＳＩは、その機能を達成する。
【０１６３】
（３）上記の各装置を構成する構成要素の一部又は全部は、各装置に脱着可能なＩＣカード又は単体のモジュールから構成されてもよい。ＩＣカード又はモジュールは、マイクロプロセッサ、ＲＯＭ及びＲＡＭなどから構成されるコンピュータシステムである。ＩＣカード又はモジュールには、上記の超多機能ＬＳＩが含まれてもよい。マイクロプロセッサが、コンピュータプログラムにしたがって動作することにより、ＩＣカード又はモジュールは、その機能を達成する。このＩＣカード又はこのモジュールは、耐タンパ性を有してもよい。
【０１６４】
（４）本発明は、上記に示す方法で実現されてもよい。また、これらの方法をコンピュータにより実現するコンピュータプログラムで実現してもよいし、コンピュータプログラムからなるデジタル信号で実現してもよい。
【０１６５】
また、本発明は、コンピュータプログラム又はデジタル信号をコンピュータ読み取り可能な記録媒体、例えば、フレキシブルディスク、ハードディスク、ＣＤ−ＲＯＭ、ＭＯ、ＤＶＤ、ＤＶＤ−ＲＯＭ、ＤＶＤ−ＲＡＭ、ＢＤ（Ｂｌｕ−ｒａｙ（登録商標）  Ｄｉｓｃ）、半導体メモリなどに記録したもので実現してもよい。また、本発明は、これらの記録媒体に記録されているデジタル信号で実現してもよい。
【０１６６】
また、本発明は、コンピュータプログラム又はデジタル信号を、電気通信回線、無線又は有線通信回線、インターネットを代表とするネットワーク、又はデータ放送等を経由して伝送してもよい。
【０１６７】
また、本発明は、マイクロプロセッサとメモリを備えたコンピュータシステムであって、メモリは、コンピュータプログラムを記憶しており、マイクロプロセッサは、コンピュータプログラムにしたがって動作してもよい。
【０１６８】
また、本発明は、プログラム或いははデジタル信号を記録媒体に記録して移送することにより、又はプログラム或いはデジタル信号を、ネットワーク等を経由して移送することにより、独立した他のコンピュータシステムにより実施するとしてもよい。
【０１６９】
上記各実施の形態において、各構成要素は、専用のハードウェアで構成されるか、各構成要素に適したソフトウェアプログラムを実行することによって実現されてもよい。各構成要素は、ＣＰＵ又はプロセッサなどのプログラム実行部が、ハードディスク又は半導体メモリなどの記録媒体に記録されたソフトウェアプログラムを読み出して実行することによって実現されてもよい。
【０１７０】
さらに、本発明は上記プログラムであってもよいし、上記プログラムが記録された非一時的なコンピュータ読み取り可能な記録媒体であってもよい。また、上記プログラムは、インターネット等の伝送媒体を介して流通させることができるのは言うまでもない。
【０１７１】
（５）上記実施の形態及び上記変形例をそれぞれ組み合わせるとしてもよい。
【０１７２】
また、上記で用いた数字は、全て本発明を具体的に説明するために例示するものであり、本発明は例示された数字に制限されない。
【０１７３】
また、ブロック図における機能ブロックの分割は一例であり、複数の機能ブロックを一つの機能ブロックとして実現したり、一つの機能ブロックを複数に分割したり、一部の機能を他の機能ブロックに移してもよい。また、類似する機能を有する複数の機能ブロックの機能を単一のハードウェア又はソフトウェアが並列又は時分割に処理してもよい。
【０１７４】
また、上記処理に含まれるステップが実行される順序は、本発明を具体的に説明するために例示するためのものであり、同様の結果が得られる範囲において上記以外の順序であってもよい。また、上記ステップの一部が、他のステップと同時（並列）に実行されてもよい。
【０１７５】
［効果］
以上、本発明の一態様に係るコンテンツ共有システムについて実施の形態に基づいて説明した。
【０１７６】
本発明によれば、一の情報通信装置がサーバ上に共有スペースを確保すると同時に、コンテンツを共有する全ての情報通信装置の連絡先情報をサーバ上に登録する。このため、ユーザは、予め所定のサーバやサービスにユーザ情報を登録することなく、簡単な操作でコンテンツを共有することができる。
【０１７７】
以上、一つ又は複数の態様に係るコンテンツ共有システムについて、実施の形態に基づいて説明したが、本発明は、この実施の形態に限定されるものではない。本発明の趣旨を逸脱しない限り、当業者が思いつく各種変形を本実施の形態に施したものや、異なる実施の形態における構成要素を組み合わせて構築される形態も、一つ又は複数の態様の範囲内に含まれてもよい。
【産業上の利用可能性】
【０１７８】
本発明はコンテンツ共有システムに適用できる。また、本発明は、複数ユーザ間でコンテンツを共有するような情報システムとして有用である。
【符号の説明】
【０１７９】
１００  コンテンツ共有システム
１１０  第１の情報通信装置
１１１  確保依頼部
１１２、１２２、１３３、２０５  記憶部
１１３、１１４、１１５、１１６、１１７、１２３、１２５、１４３、１４４、１４５  連絡先情報
１１８、１２６、１４６  認証情報
１２０  第２の情報通信装置
１２１  接続依頼部
１２４  共有スペース指定情報
１３０  サーバ
１３１  共有スペース生成部
１３２  接続制御部
１４０  共有スペース
１４１  共有スペースＩＤ
１４２  共有スペースアドレス情報
１５０  共有スペース管理情報
２０１  入力受付部
２０２  表示部
２０３  制御部
２０４  通信部
２０６  ＳＩＭカード
【図１】
2014091728.tif 000003
【図２】
2014091728.tif 000004
【図３】
2014091728.tif 000005
【図４】
2014091728.tif 000006
【図５】
2014091728.tif 000007
【図６】
2014091728.tif 000008
【図７】
2014091728.tif 000009
【図８】
2014091728.tif 000010
【図９】
2014091728.tif 000011
【図１０】
2014091728.tif 000012
【図１１Ａ】
2014091728.tif 000013
【図１１Ｂ】
2014091728.tif 000014
【図１１Ｃ】
2014091728.tif 000015
【図１２Ａ】
2014091728.tif 000016
【図１２Ｂ】
2014091728.tif 000017
【図１３】
2014091728.tif 000018
【図１４】
2014091728.tif 000019
【図１５】
2014091728.tif 000020
【図１６】
2014091728.tif 000021
【図１７】
2014091728.tif 000022
【国際調査報告】
2014091728.tif 000023
2014091728.tif 000024
2014091728.tif 000025